(57)【特許請求の範囲】
【請求項１】
医療機関の通常診療時間外に該医療機関を利用して対面診療を行う時間外診療の診療拠点の運営を管理する対面診療運営管理システムであって、
前記診療拠点となる医療機関の医療機関情報として少なくとも該医療機関の通常診療時間帯を含めて記憶する医療機関情報記憶手段と、
前記診療拠点となる診療機関の通常診療時間外の時間帯を、前記医療機関情報記憶手段により記憶された医療機関情報から、対面診療可能時間帯として特定する対面診療時間帯特定手段と、
前記対面診療に従事する医療従事者の医療従事者情報として少なくとも属性と勤務可能な時間帯とを含めて記憶する医療従事者情報記憶手段と、
前記対面診療時間帯特定手段により特定された対面診療可能時間帯に通勤可能な医療従事者を、前記医療従事者情報記憶手段により記憶された医療従事者情報から特定するスタッフ特定手段と、
前記スタッフ特定手段により特定された医療従事者に対して、前記診療拠点となる医療機関と前記対面診療時間帯特定手段により特定された対面診療時間帯とを通知して、当該対面診療時間帯での勤務シフトを確定する対面診療日時決定手段と、
前記診療拠点となる医療機関を含むエリアを特定するエリア特定手段と
を備え、
前記スタッフ特定手段は、前記エリア特定手段により特定されたエリア毎に前記対面診療時間帯特定手段により特定された対面診療可能時間帯に通勤可能な医療従事者を特定し、
前記対面診療日時決定手段は、前記エリア特定手段により特定される前記診療拠点となる医療機関を含むエリアにおいて、該エリアにおけるオンライン診療を行う患者の患者情報記憶手段に記憶された対面診療頻度から算出される対面診療の需要と、前記スタッフ特定手段により特定される通勤可能な医療従事者とに基づいて、対面診療開設日時を決定することを特徴とする対面診療運営管理システム。
【請求項２】
請求項１記載の対面診療運営管理システムにおいて、
前記スタッフ特定手段は、新規採用スタッフに対して設定されたトレーニング期間の経過後の前記対面診療可能時間帯において通勤可能な医療従事者として特定することを特徴とする対面診療運営管理システム。
【請求項３】
請求項１または２記載の対面診療運営管理システムにおいて、
前記診療拠点における対面診療の収支を計算する収支計算管理手段を備えることを特徴とする対面診療運営管理システム。
【発明の詳細な説明】
【技術分野】
【０００１】
本発明のオンランライン診療において対面診療を例えば不定期に行うための診療拠点の運営を管理する対面診療運営管理システムに関するものである。
【背景技術】
【０００２】
遠隔診療システムとしては、近年、種々のシステムが考案されている。例えば、遠隔診療システムとしては、下記特許文献１に示すように、表示画面及びビデオ通話機能を備え、撮像部と、医師端末装置から取得した医師の画像及び撮像部で撮像して得られた遠隔診療対象者の画像を出力する出力部とを備える。
【先行技術文献】
【特許文献】
【０００３】
【特許文献１】特開２０１９−１３３２７１公報
【発明の概要】
【発明が解決しようとする課題】
【０００４】
しかしながら、実際に遠隔診療やオンライン診療を行う場合には、初診の対面診療や定期的な対面診療が必要となるところ、従来の遠隔診療システムでは、かかる対面診療に対する運営支援の視点はなかった。
【０００５】
一方で、対面診療のために、新たに遠隔診療やオンライン診療を行う事業者が、拠点となる診療機関やクリニックを開設することも考えられるが、遠隔診療やオンライン診療における対面診療は不定期であるため現実的ではない。
【０００６】
また、開業を考える医師は、対面診療を限られた時間の中で行い、病院経営のシミュレーションを行ってみたいとのニーズもある。
【０００７】
以上の事情に鑑みて、本発明は、不定期の対面診療を簡易かつ確実に実現することができ、病院経営の経験が可能な対面診療運営管理システムを提供することを目的とする。
【課題を解決するための手段】
【０００８】
第１発明の対面診療運営管理システムは、医療機関の通常診療時間外に該医療機関を利用して対面診療を行う時間外診療の診療拠点の運営を管理する対面診療運営管理システムであって、
前記診療拠点となる医療機関の医療機関情報として少なくとも該医療機関の通常診療時間帯を含めて記憶する医療機関情報記憶手段と、
前記診療拠点となる診療機関の通常診療時間外の時間帯を、前記医療機関情報記憶手段により記憶された医療機関情報から、対面診療可能時間帯として特定する対面診療時間帯特定手段と、
前記対面診療に従事する医療従事者の医療従事者情報として少なくとも属性と勤務可能な時間帯とを含めて記憶する医療従事者情報記憶手段と、
前記対面診療時間帯特定手段により特定された対面診療可能時間帯に通勤可能な医療従事者を、前記医療従事者情報記憶手段により記憶された医療従事者情報から特定するスタッフ特定手段と、
前記スタッフ特定手段により特定された医療従事者に対して、前記診療拠点となる医療機関と前記対面診療時間帯特定手段により特定された対面診療時間帯とを通知して、当該対面診療時間帯での勤務シフトを確定する対面診療日時決定手段と、
前記診療拠点となる医療機関を含むエリアを特定するエリア特定手段と
を備え、
前記スタッフ特定手段は、前記エリア特定手段により特定されたエリア毎に前記対面診療時間帯特定手段により特定された対面診療可能時間帯に通勤可能な医療従事者を特定し、
前記対面診療日時決定手段は、前記エリア特定手段により特定される前記診療拠点となる医療機関を含むエリアにおいて、該エリアにおけるオンライン診療を行う患者の患者情報記憶手段に記憶された対面診療頻度から算出される対面診療の需要と、前記スタッフ特定手段により特定される通勤可能な医療従事者とに基づいて、対面診療開設日時を決定することを特徴とする。
【０００９】
第１発明の対面診療運営管理システムは、予め登録された診療拠点となる医療機関について、その医療機関情報から通常診療時間外の時間帯、すなわち、休診日や診療日でも診療時間外の早朝や夜間の時間帯が、対面診療可能時間帯として特定される。
【００１０】
そして、特定された対面診療時間帯に対して、医療従事者情報から予め登録された医療従事者である医師や医療事務スタッフの勤務可能時間帯等の勤務条件から通勤可能な医療従事者が特定される。
【００１１】
これにより、特定された医療従事者に対して、勤務依頼として、診療拠点となる医療機関と対面診療時間帯とを通知してその勤務シフトを確定することで、対面診療可能時間帯に簡易かつ確実に医療従事者を配置して運営することができる。
【００１２】
そして、開業を考える医師は、その医療機関において、通常診療時間外の時間帯を利用して対面診療を行って、その経費・人件費などの試算を行うことができ、病院経営のシミュレーションを行うことができる。
【００１３】
このように、第１発明の対面診療運営管理システムによれば、不定期の対面診療を簡易かつ確実に実現することができ、病院経営の経験が可能となる。
また、第１発明の対面診療運営管理システムによれば、医療従事者はできる限り近場で勤務を希望することが多いところ、診療拠点となる医療機関を含むように予めエリアを定めておくことで（逆に、予めエリア分割を行い、各エリアに診療拠点となる医療機関を配置しておくことで）、該医療機関を含む一定範囲のエリアを特定可能し、該エリアに通勤可能な医療従者を特定することができる。
例えば、当該エリアに通勤可能か否かは、単にエリア内やその隣接エリアに医療従事者が居住しているか否かにより判定してもよいが、これに加えてまたは代えて、医療従事者の通勤可能な時間帯から、当該医療機関への往復通勤時間を差し引いた勤務時間が確保されるか否かにより判定してもよい。
このように、第１発明の対面診療運営管理システムによれば、対面診療を、診療拠点となるエリアを加味しつつ簡易かつ確実に実現することができる。
さらに、第１発明の対面診療運営管理システムによれば、診療拠点となる医療機関を含むように予めエリアを定めておくことで（逆に、予めエリア分割を行い、各エリアに診療拠点となる医療機関を配置しておくことで）、オンライン診療の患者のケアをエリア単位で行うことが可能となる。そのため、そのエリアにおけるオンライン診療の患者の対面診療頻度を加味して、診療拠点となる医療機関の対面診療開設日を設定することができる。
このように、第１発明の対面診療運営管理システムによれば、オンライン対面診療を、診療拠点となる医療機関内のエリアの患者の対面診療の必要性を考慮することができ、簡易かつ確実に実現することができる。
【００１４】
第２発明の対面診療運営管理システムは、第１発明において、
前記スタッフ特定手段は、新規採用スタッフに対して設定されたトレーニング期間の経過後の前記対面診療可能時間帯において通勤可能な医療従事者として特定することを特徴とする。
【００１５】
第２発明の対面診療運営管理システムによれば、新規採用スタッフについては、採用される側も採用する側もできる限り早く勤務を開始したいところ、スタッフ特定手段は、新規採用スタッフに対して設定されたトレーニング期間の経過を条件として、新規採用スタッフの属性および対面診療可能時間帯と当該新規採用スタッフの勤務可能な時間帯とのマッチングを行い、通勤可能な医療従事者を新規採用スタッフを特定対象とすることができる。
【００１６】
このように、第２発明の対面診療運営管理システムによれば、対面診療を、新規採用スタッフの活用を促進しつつ簡易かつ確実に実現することができる。
【００２４】
第３発明の対面診療運営管理システムは、第１または第２発明において、
前記診療拠点における対面診療の収支を計算する収支計算管理手段を備えることを特徴とする。
【００２５】
第３発明の対面診療運営管理システムによれば、収支計算管理手段により診療拠点における対面診療の収支を実際に計算することができ、開業を考える医師は、その医療機関において、通常診療時間外の時間帯を利用して対面診療を行った際の経費・人件費などの試算を行うことができ、実際に病院経営のシミュレーションを行うことができる。
【００２６】
このように、第３発明の対面診療運営管理システムによれば、不定期の対面診療を簡易かつ確実に実現することができ、実際に病院経営の経験が可能となる。
【図面の簡単な説明】
【００２７】
【図１】本実施形態の対面診療運営管理システムの概要を示すシステム構成図。
【図２】図１の対面診療運営管理システムにおける処理内容を示すフローチャート。
【図３】図２に続く対面診療運営管理システムにおける処理内容を示すフローチャート。
【発明を実施するための形態】
【００２８】
図１に示すように、本実施形態の対面診療運営管理システム１は、例えば、オンランライン診療において、医療従事者Ｘが対面診療を行うための診療拠点となる医療機関（クリニック）Ｙで対面診療を行うための運営管理システムであって、医療機関情報記憶手段１００と、医療従事者情報記憶手段１１０と、患者情報記憶手段１２０と、対面診療需要算出手段１３０と、医療機関特定手段１４０と、対面診療時間帯特定手段１５０と、エリア特定手段１６０と、スタッフ特定手段１７０と、対面診療日時決定手段１８０と、勤務シフト管理手段１９０と、収支計算管理手段２００とを備える。
【００２９】
医療機関情報記憶手段１００は、メモリまたはハードディスク等により構成される記憶手段であって、診療拠点となる医療機関Ｙの医療機関情報として少なくとも該医療機関Ｙの通常診療時間帯と所在地とを含めて記憶する。
【００３０】
そのほか、医療機関情報記憶手段１００に記憶される医療機関情報としては、診療科目、診療設備のほか、診療報酬計算のためのマニュアルなどが含まれる。
【００３１】
医療従事者情報記憶手段１１０は、メモリまたはハードディスク等により構成される記憶手段であって、対面診療に従事する医療従事者Ｘの医療従事者情報として少なくとも属性（医師・看護師・医療事務など）と勤務可能な時間帯とを含めて記憶する。
【００３２】
そのほか、医療従事者情報記憶手段１１０に記憶される医療従事者情報としては、属性に関連した職務情報（勤務経歴、資格など）のほか、通勤起点と通勤可能なエリアなどが含まれる。
【００３３】
患者情報記憶手段１２０は、メモリまたはハードディスク等により構成される記憶手段であって、通常はオンライン診療を受けている患者情報として、該患者の生体情報・健康情報のほか、これらの情報に基づいて作成される診療提案書、カルテ（診療録）、処方内容、オンライン診療頻度や対面診療頻度を含めて記憶する。
【００３４】
ここで、生体情報は、生体に関する種々の生理学的・解剖学的情報等の種々の情報であって、ＤＮＡ情報のように個人が特定される情報（年齢・性別）のほか、心拍数や血圧データのように個人が特定されない情報の両方を含む概念である。さらに、生体情報には、これらの情報の履歴も含まれる。一方、健康情報は、利用者の自覚症状など、利用者の申告情報を含む概念である。
【００３５】
また、そのほか、患者情報記憶手段１２０に記憶される患者情報としては、保険情報のほか、居住地と通院可能なエリアなどが含まれる。
【００３６】
対面診療需要算出手段１３０は、診療拠点となる医療機関Ｙを含むエリア（患者が通院可能なエリア）において、そのエリアにおけるオンラン診療を行う患者の対面診療頻度から、そのエリアにおける対面診療の需要（必要性）を算出する。
【００３７】
具体的に、対面診療需要算出手段１３０が算出する対面診療の需要（必要性）は、診療拠点となる医療機関Ｙを含むエリアにおける患者数が対面診療を必要とする期間内（例えば向こう１か月）に何人いるかを算出する。
【００３８】
これにより、診療拠点となる医療機関Ｙを含むように予めエリアを定めておくことで（逆に、予めエリア分割を行い、各エリアに診療拠点となる医療機関Ｙを適切に配置しておくことで）、オンライン診療の患者のケアをエリア単位で行うことが可能となるところ、そのエリアにおけるオンライン診療の患者の対面診療頻度を加味して、診療拠点となる医療機関Ｙの対面診療開設日を設定することができる。
【００３９】
医療機関特定手段１４０は、対面診療需要算出手段１３０により算出された対面診療の需要が所定以上の場合に、そのエリアにおける対面診療を行う診療拠点となる医療機関（クリニック）Ｙを特定する。
【００４０】
なお、医療機関特定手段１４０により特定される医療機関Ｙは、（もともと１つエリアに診療拠点となる医療機関Ｙを１つ配置している場合のように）そのエリアにおいて１つであってもよく、（もともと１つエリアに診療拠点となる医療機関Ｙを複数配置している場合には）複数であってもよい。
【００４１】
対面診療時間帯特定手段１５０は、医療機関特定手段１４０により特定された診療拠点となる診療機関の通常診療時間外の時間帯を、医療機関情報記憶手段１００により記憶された医療機関情報から、対面診療可能時間帯として特定する。
【００４２】
エリア特定手段１６０は、医療機関特定手段１４０により特定された診療拠点となる医療機関Ｙを含むエリアを特定する。ここで、エリア特定手段１６０は、もともと１つエリアに診療拠点となる医療機関Ｙを１つ配置している場合には省略してもよいが、そのような場合でも、診療拠点となる医療機関Ｙを配置するためのエリア（患者の通院可能エリア）とは別に、後述する医療従事者Ｘの通勤のためのエリア（通勤可能エリア）として別に特定してもよい。
【００４３】
また、医療従事者Ｘの通勤可能エリアは、その属性に応じて、拡大または縮小してもよい。例えば、医師であれば、新幹線を利用した通勤エリアを通常の通勤エリアや通院エリアから拡大させて設定させたり、看護師や医療事務は通勤時間を減らすように通勤エリアを通常の通勤エリアや通院エリアから縮小させて設定してもよい。
【００４４】
スタッフ特定手段１７０は、対面診療時間帯特定手段１５０により特定された対面診療可能時間帯に通勤可能であって、エリア特定手段１６０により特定されたエリア（通勤可能エリア）の医療従事者Ｘを、医療従事者情報記憶手段１１０により記憶された医療従事者情報から特定する。
【００４５】
ここで、スタッフ特定手段１７０は、診療拠点となる医療機関Ｙおよび予測される対面診療患者数などから、必要な医療従事者Ｘの種別および人数（例えば、医師１名、看護師２名、医療事務１名など）を充足するように特定する。
【００４６】
対面診療日時決定手段１８０は、スタッフ特定手段１７０により特定される必要な医療従事者Ｘの種別および人数が確保されることを条件として、その条件を満たす日時（例えば、当該医療機関Ｙの休診日）を対面診療日時として決定する。
【００４７】
勤務シフト管理手段１９０は、医療従事者Ｘの勤務シフトを管理する所謂グループウエアであって、対面診療日時決定手段１８０により決定された日時および医療機関Ｙでの医療従事者Ｘの勤務スケジュールが登録される。
【００４８】
収支計算管理手段２００は、医療機関Ｙを診療拠点とする対面診療の収支を計算する。具体的に、収支計算管理手段２００は、当該対面診療日時における医療報酬である売上から経費を差し引いた収支計算を行う。さらに、収支計算後の利益の分配をレベニューシェア方式で、医療機関Ｙと運営会社と医師との間で分配する計算も可能である。加えて、患者数に応じた収支計算シミュレーションおよび分配シミュレーションのほか、レセプト（診療報酬明細書）の作成なども可能である。
【００４９】
以上が本実施形態の対面診療運営管理システム１の構成である。なお、以上の構成において、各処理部および処理手段１００〜２００は、それぞれ例えば、ＣＰＵ（Central Processing Unit）、ＲＯＭ（Read Only memory）、ＲＡＭ（Random Access Memory）等のハードウェアにより構成され、後述する各種処理を実行するプログラムをメモリ（不図示）に記憶保持し、そのプログラムを実行することにより、各種処理を実行するための演算装置（シーケンサ）として機能する。
【００５０】
次に、図２および図３を参照して、本実施形態における対面診療運営管理システム１の処理内容を説明する。
【００５１】
図２を参照して、オンライン診療において対面診療を行う医療機関Ｙの登録処理および医療従事者Ｘの登録処理について説明する。
【００５２】
まず、当該対面診療運営管理システム１を運用するオンライン診療支援会社が、オンライン診療における対面診療の診療拠点となる医療機関（クリニック）Ｙの募集を開始し、医療機関Ｙから協力の申し出があると、その医療機関Ｙについての医療機関情報が医療機関情報記憶手段１００に記憶保持される（ＳＴＥＰ１００／図２）。
【００５３】
ここで、医療機関情報記憶手段１００に記憶保持される医療機関情報は、医療機関Ｙの通常診療時間帯（例えば、月、火、水、金の９時〜１２時および１４時〜１７時、土の９時から１２時）と、医療機関Ｙの所在地（住所）のほか、診療科目、所属スタッフ（所属医師、所属看護師、所属医療事務など）、診療設備および診療報酬計算のためのマニュアルなども含まれる。
【００５４】
また、オンライン診療支援会社が、オンライン診療において不定期に行われる対面診療に従事する医療従事者Ｘの募集（医師の募集、看護師の募集、医療事務の募集、必要に応じて薬剤師）を開始し、医療従事者Ｘから協力の申し出があると、その医療従事者Ｘについて、面接（直接面接やＷＥＢなどのテレビ会議での面接）が行われ、採用者については、その医療従事者情報が医療従事者情報記憶手段１１０に記憶保持される（ＳＴＥＰ１１０／図２）。
【００５５】
なお、予め勤務予定の対面診療の拠点となる医療機関（クリニック）Ｙが決まっている場合には、その医療機関Ｙの関係者が面接に参加してもよい。
【００５６】
ここで、医療従事者情報記憶手段１１０に記憶保持される医療従事者情報は、属性として医師・看護師・医療事務・薬剤師の種別（職務経歴や専門医などの資格を含む）、勤務可能な時間帯、通勤起点および通勤可能なエリアなどが含まれる。
【００５７】
そして、新規採用スタッフの医療従事者Ｘについては、スタッフトレーニング期間が設定される（ＳＴＥＰ１１５／図２）。
【００５８】
スタッフトレーニング期間は、医療従事者Ｘが対面診療の拠点となる医療機関Ｙでの勤務のためのプログラムが実行される勤務準備期間であって、その医療従事者Ｘの属性に応じて予め設定された期間であって、その医療従事者Ｘの勤務経歴に基づいて延長短縮の補正が施されるようになっている。その後、スタッフトレーニング期間において、当該プログラムが実行される。
【００５９】
なお、本実施形態では、説明を省略するが、患者情報記憶手段１２０には、上述のように、通常はオンライン診療を受けている患者情報として、該患者の生体情報・健康情報のほか、これらの情報に基づいて作成される診療提案書、カルテ（オンライン診療頻度や対面診療頻度を含む）、処方内容、保険情報のほか、居住地と通院可能なエリアなどが、予め記憶保持されている。
【００６０】
以上が、オンライン診療において対面診療を行う医療機関Ｙの登録処理および医療従事者Ｘの登録処理の詳細である。
【００６１】
次に、図３を参照して、医療従者Ｘが医療機関（クリニック）Ｙで対面診療を行えるようにするための対面診療運営管理処理の内容を説明する。
【００６２】
まず、対面診療運営管理システム１は、対面診療需要算出手段１３０が、予め全国を複数に分割した運営管理エリアにおいて、そのエリアにおけるオンラン診療を行う患者の対面診療頻度から、そのエリアにおける対面診療の需要（必要性）を算出する（ＳＴＥＰ１３０／図３）。
【００６３】
そして、対面診療需要算出手段１３０によるＳＴＥＰ１３０の対面診療需要算出処理において算出された需要患者数（当該エリアにおいて向こう１か月の間に対面診療を必要とする患者数）が閾値となる人数以上いる場合いる場合には、医療機関特定手段１４０が、当該エリアにおける対面診療を行う診療拠点となる医療機関（クリニック）Ｙを一または複数特定する（ＳＴＥＰ１４０／図３）。
【００６４】
次に、対面診療時間帯特定手段１５０が、医療機関特定手段１４０によりＳＴＥＰ１４０で特定された診療拠点となる診療機関の通常診療時間外の時間帯を、医療機関情報記憶手段１００により記憶された医療機関情報から、対面診療可能時間帯を特定する（ＳＴＥＰ１５０／図３）。
【００６５】
これにより、予め登録された診療拠点となる医療機関Ｙについて、その医療機関情報から通常診療時間外の時間帯、すなわち、休診日や診療日でも診療時間外の早朝や夜間の時間帯が、対面診療可能時間帯として特定される。
【００６６】
次いで、エリア特定手段１６０が、医療機関特定手段１４０により特定された診療拠点となる医療機関Ｙを含むエリア（医療従事者Ｘの通勤のためのエリア（通勤可能エリア））を特定する（ＳＴＥＰ１６０／図３）。
【００６７】
ここで、医療従事者Ｘはできる限り近場で勤務を希望することが多いところ、診療拠点となる医療機関Ｙを含むように予め通勤可能エリアを定めておくことで（逆に、予めエリア分割を行い、各エリアに診療拠点となる医療機関Ｙを適切に配置しておくことで）、該医療機関Ｙを含む一定範囲のエリアを特定可能し、該エリアに通勤可能な医療従者を特定することができる。
【００６８】
なお、当該エリアに通勤可能か否かは、単にエリア内やその隣接エリアに医療従事者Ｘが居住しているか否かにより判定してもよいが、これに加えてまたは代えて、医療従事者Ｘの通勤可能な時間帯から、当該医療機関Ｙへの往復通勤時間を差し引いた勤務時間が確保されるか否かにより判定してもよい。
【００６９】
次に、スタッフ特定手段１７０が、対面診療時間帯特定手段１５０によりＳＴＥＰ１５０で特定された対面診療可能時間帯に通勤可能であって、エリア特定手段１６０によりＳＴＥＰ１６０で特定されたエリア（通勤可能エリア）の医療従事者Ｘ（例えば、医師１名、看護師２名、医療事務１名など）を、医療従事者情報記憶手段１１０により記憶された医療従事者情報から特定する（ＳＴＥＰ１７０／図３）。
【００７０】
これにより、ＳＴＥＰ１５０で特定された対面診療時間帯に対して、医療従事者情報から予め登録された医療従事者Ｘである医師や医療事務スタッフの勤務可能時間帯等の勤務条件から通勤可能な医療従事者Ｘが特定される。
【００７１】
ここで、スタッフ特定手段１７０は、新規採用スタッフに対しては、ＳＴＥＰ１１５で設定されたトレーニング期間の経過を条件として、トレーニング期間の経過後の対面診療可能時間帯において通勤可能な医療従事者Ｘを特定する。
【００７２】
これにより、新規採用スタッフに関しては、採用される側も採用する側もできる限り早く勤務を開始したいところ、スタッフ特定手段１７０は、トレーニング期間の経過を条件として、新規採用スタッフの属性および対面診療可能時間帯と当該新規採用スタッフの勤務可能な時間帯とのマッチングを行い、通勤可能な医療従事者Ｘとして新規採用スタッフを特定対象とすることができる。
【００７３】
次いで、対面診療日時決定手段１８０は、スタッフ特定手段１７０によりＳＴＥＰ１７０で特定される必要な医療従事者Ｘの種別および人数が確保されることを条件として、その条件を満たす日時（例えば、当該医療機関Ｙの休診日）を対面診療日時として仮決定し、ＳＳＴＥＰ１７０で特定された医療従事者Ｘのすべてに勤務依頼の通知を行う（ＳＴＥＰ１８０／図３）。
【００７４】
そして、勤務依頼の通知を行った医療従事者Ｘからの同意（またはＮＧが一定期間内にないこと）を条件として、ＳＴＥＰ１８０により仮決定された対面診療日時での対面診療を決定する（ＳＴＥＰ１８５／図３）。
【００７５】
このように、ＳＴＥＰ１７０で特定された医療従事者Ｘに対して、勤務依頼として、診療拠点となる医療機関Ｙと対面診療時間帯とを通知してその勤務シフトを確定することで、対面診療可能時間帯に簡易かつ確実に医療従事者Ｘを配置して運営することができる。
【００７６】
最後に、勤務シフト管理手段１９０が、医療従事者Ｘの勤務シフトを管理する所謂グループウエアに、対面診療日時決定手段１８０によりＳＴＥＰ１８０、１８５で決定された日時および医療機関Ｙでの医療従事者Ｘの勤務スケジュールの登録を行う（ＳＴＥＰ１９０／図３）。
【００７７】
そして、実際に、対面診療日時で対面診療が行われると、収支計算管理手段２００により、医療機関Ｙを診療拠点とする対面診療の収支計算管理処理が行われる（ＳＴＥＰ２００／図３）。
【００７８】
ＳＴＥＰ２００において、収支計算管理手段２００は、当該対面診療日時における医療報酬である売上から経費（勤務シフト管理手段１９０により登録された医療従事者Ｘの人件費および必要経費）を差し引いた収支計算を行う。
【００７９】
これにより、診療拠点における対面診療の収支を実際に計算することができ、例えば、開業を考える医師は、その医療機関Ｙにおいて、通常診療時間外の時間帯を利用して対面診療を行った際の経費・人件費などの試算を行うことができ、実際に病院経営のシミュレーションを行うことができる。
【００８０】
以上が、医療従者Ｘが医療機関（クリニック）Ｙで対面診療を行うための対面診療運営管理処理の詳細であり、かかる本実施形態の対面診療運営管理システム１によれば、不定期の対面診療を簡易かつ確実に実現することができ、病院経営の経験が可能となる。
【００８１】
なお、本実施形態では、オンランライン診療において、医療従事者Ｘが対面診療を行うための診療拠点となる医療機関（クリニック）Ｙで対面診療を行うための運営管理システムとして説明したが、医療機関の通常診療時間外に該医療機関を利用して対面診療を行うための運営管理システムであれば、これに限定されるものではない。例えば、若手医師が独立開業のために、病院経営シミュレーションを行うために行う対面診療の運営管理システムであってもよい。
【符号の説明】
【００８２】
１…対面診療運営管理システム、１００…医療機関情報記憶手段、１１０…医療従事者情報記憶手段、１２０…患者情報記憶手段、１３０…対面診療需要算出手段、１４０…医療機関特定手段、１５０…対面診療時間帯特定手段、１６０…エリア特定手段、１７０…スタッフ特定手段、１８０…対面診療日時決定手段、１９０…勤務シフト管理手段、２００…収支計算管理手段、Ｘ…医療従事者、Ｙ…医療機関（クリニック）。
【要約】
【課題】不定期の対面診療を簡易かつ確実に実現することができ、病院経営の経験が可能な対面診療運営管理システムを提供することを目的とする。
【解決手段】対面診療運営管理システム１は、オンランライン診療において、医療従事者Ｘが対面診療を行うための診療拠点となる医療機関（クリニック）Ｙで対面診療を行うための運営管理システムであって、医療機関情報記憶手段１００と、医療従事者情報記憶手段１１０と、患者情報記憶手段１２０と、対面診療需要算出手段１３０と、医療機関特定手段１４０と、対面診療時間帯特定手段１５０と、エリア特定手段１６０と、スタッフ特定手段１７０と、対面診療日時決定手段１８０と、勤務シフト管理手段１９０と、収支計算管理手段２００とを備える。
【選択図】図１【図１】
0006943494.tif 000002
【図２】
0006943494.tif 000003
【図３】
0006943494.tif 000004